(57)【要約】【課題】補助具の着脱に関る手間を低減することができるＣＴ撮影用天板及びＸ線ＣＴ装置を提供する。【解決手段】被検体ＰのＣＴ撮影が行われる架台部１１と、被検体Ｐが載置される天板本体４３及び被検体Ｐの一部を保持する補助具４４により構成される天板４１と、天板４１上に載置された被検体Ｐを架台部１１の開口部１２内へ送り込む寝台４２とを備え、天板本体４３の厚さが薄く形成された長手方向における一端部上に、上下方向への移動により着脱可能な補助具４４を設ける。【選択図】  図２
2011160833.tif 000002
【特許請求の範囲】
【請求項１】
長手方向における一端部の厚さがこの一端部以外の部分よりも薄く形成された被検体が載置される天板本体と、
前記天板本体の載置面に対する進退方向への移動により着脱可能に前記一端部上に設けられた前記被検体の一部を保持する補助具とを
備えたことを特徴とするＣＴ撮影用天板。
【請求項２】
前記一端部の厚さは、前記一端部及び前記補助具によるＸ線透過量の損失が前記一端部以外の部分と略同じになる厚さであることを特徴とする請求項１に記載のＣＴ撮影用天板。
【請求項３】
前記補助具は、前記天板本体上に臥位の姿勢で載置された前記被検体の頭部を保持するヘッドレストであり、
前記ヘッドレストは、前記天板本体の幅方向における中央近傍に設けられたことを特徴とする請求項１又は請求項２に記載のＣＴ撮影用天板。
【請求項４】
前記補助具は、前記天板本体上に臥位の姿勢で載置された前記被検体の頭部を保持する前記天板本体の幅方向における中央近傍に設けられたヘッドレスト、及びこのヘッドレストの両側に設けられた前記被検体の腕部を保持するアームレストであり、
前記アームレストは、前記被検体の頭部が前記ヘッドレストにより保持された状態で、前記進退方向への移動により着脱可能に前記一端部上に設けられていることを特徴とする請求項１又は請求項２に記載のＣＴ撮影用天板。
【請求項５】
請求項１に記載のＣＴ撮影用天板を移動する寝台を用いて、前記被検体を撮影装置方向に移動することを特徴とするＸ線ＣＴ装置。
【発明の詳細な説明】
【技術分野】
【０００１】
本発明は、被検体の一部を保持する補助具を備えたＣＴ撮影用天板及びＸ線ＣＴ装置に関する。
【背景技術】
【０００２】
Ｘ線ＣＴ装置は、Ｘ線管により発生させたＸ線を被検体に照射して被検体を透過したＸ線を検出し、その検出信号に基づいて生成される被検体の画像データを提供するものであり、診断や治療等の医療行為に重要な役割を果たしている。このＸ線ＣＴ装置は、天板上に載置された被検体に対してＸ線を照射するＸ線照射部及び被検体を透過したＸ線を検出するＸ線検出部を有する架台を備えている。この架台は円筒状の開口部を有し、天板を移動して被検体が開口部内に送り込まれると、Ｘ線管を備えたＸ線照射部及びＸ線検出部が被検体の周りを回転しながら、被検体にＸ線を照射すると共に被検体を透過したＸ線を検出してＣＴ撮影を行う。
【０００３】
ところで、ＣＴ撮影を行うときに天板上に載置された被検体の一部である頭部を保持するヘッドレストや腕部を保持するアームレスト等の補助具が知られている（例えば、特許文献１参照。）。
【０００４】
この補助具は接続部を有し、天板の架台側縁端部に該天板の長手方向に沿って接続穴が設けられている。そして、天板の長手方向の架台側縁端部に向けて補助具を側方から移動してその接続部を接続穴に差し込むことにより、天板に固定されている。そして、撮影が終了して、補助具が固定された天板を架台の開口部よりも低い乗降が容易な高さ（乗降高さ）で停止させて被検体を降した後、必要に応じて次の被検体の撮影部位に応じた補助具に交換される。
【先行技術文献】
【特許文献】
【０００５】
【特許文献１】特開２００３−１３５４４６号公報
【発明の概要】
【発明が解決しようとする課題】
【０００６】
しかしながら、一般的には架台と天板の架台側縁端部との間には十分なスペースは確保されていない。従って、天板が架台の開口部よりも低い乗降高さで停止した状態では、天板近傍に位置する架台が障害となり、特許文献１の補助具を差し込んだ方向とは反対方向に移動して取り外すことができない。従って、撮影終了後に補助具を天板から取り外す必要がある場合や、次の撮影で補助具を天板に取り付ける必要がある場合、天板を障害のない開口部付近の高さまで上げてから補助具を着脱した後、再び乗降高さまで下げる必要がある。このため、天板を上下移動する操作を必要とし、手間がかかる問題がある。
【０００７】
本発明は、上記問題点を解決するためになされたもので、補助具の着脱に関る手間を低減することができるＣＴ撮影用天板及びＸ線ＣＴ装置を提供することを目的とする。
【課題を解決するための手段】
【０００８】
上記問題を解決するために、請求項１に係る本発明のＣＴ撮影用天板は、長手方向における一端部の厚さがこの一端部以外の部分よりも薄く形成された被検体が載置される天板本体と、前記天板本体の載置面に対する進退方向への移動により着脱可能に前記一端部上に設けられた前記被検体の一部を保持する補助具とを備えたことを特徴とする。
【０００９】
また、請求項５に係る本発明のＸ線ＣＴ装置は、請求項１に記載のＣＴ撮影用天板を移動する寝台を用いて、前記被検体を撮影装置方向に移動することを特徴とする。
【発明の効果】
【００１０】
本発明によれば、被検体が載置される天板の厚さを薄く形成した一端部上に、被検体の一部を保持する補助具を天板の載置面に対する進退方向への移動により着脱可能に設けることにより、一端部及び補助具によるＸ線透過量の損失を一端部以外の部分と略同じ程度に抑えることができると共に補助具の着脱に関る手間を低減することができる。
【図面の簡単な説明】
【００１１】
【図１】本発明の実施例に係るＸ線ＣＴ装置の構成を示すブロック図。
【図２】本発明の実施例に係る天板における天板本体の構成の詳細を示す図。
【図３】本発明の実施例に係る天板における補助具の構成の詳細を示す図。
【図４】本発明の実施例に係る天板本体上に設けられた補助具を示す図。
【図５】本発明の実施例に係る天板を用いたＣＴ撮影作業の手順を示すフローチャート。
【図６】本発明の実施例に係る天板本体上に臥位の姿勢で載置された被検体の頭部がヘッドレストで保持されると共に腕部がアームレストで保持された状態を示す図。
【発明を実施するための形態】
【００１２】
以下、本発明の実施例を、図面を参照して説明する。
【実施例】
【００１３】
図１は、本発明の実施例に係るＸ線ＣＴ装置の構成を示したブロック図である。このＸ線ＣＴ装置１００は、被検体ＰのＣＴ撮影を行う撮影部１０と、被検体Ｐを撮影部１０方向へ移動する寝台部４０と、撮影部１０及び寝台部４０を操作するための入力を行う操作部５０と、操作部５０からの入力情報に基づいて撮影部１０及び寝台部４０を制御するシステム制御部５１とを備えている。
【００１４】
撮影部１０は、被検体ＰのＣＴ撮影により投影データを生成する架台部１１と、架台部１１で生成された投影データを処理して画像データを生成する画像処理部３０とを備えている。
【００１５】
架台部１１は、寝台部４０により被検体Ｐが送り込まれる円筒状の開口部１２と、この開口部１２内に送り込まれた被検体Ｐの周囲を、アイソセンタ１２ａを中心として回転する回転部１３と、この回転部１３を回転可能に支持する固定部１４と、回転部１３及び固定部１４を覆うカバー１５とを備えている。
【００１６】
回転部１３は開口部１２の外周に配置され、Ｘ線を照射するＸ線照射部１６と、Ｘ線照射部１６に高電圧を供給する高電圧発生部１７と、Ｘ線を検出するＸ線検出部１８と、Ｘ線検出部１８で検出された検出信号を収集して投影データを生成するデータ収集部１９と、データ収集部１９で生成された投影データを画像処理部３０に出力するためのデータ伝送部２０の送信部と、Ｘ線照射部１６、高電圧発生部１７、Ｘ線検出部１８、データ収集部１９、及びデータ伝送部２０の送信部を回転可能に支持する回転フレーム２１とを備えている。
【００１７】
Ｘ線照射部１６はＸ線管を有し、高電圧発生部１７から供給される高電圧によりＸ線を発生して、開口部１２内に送り込まれた被検体Ｐに対して回転しながらＸ線を照射する。また、Ｘ線検出部１８はＸ線検出素子を有し、Ｘ線照射部１６に対向して配置される。そして、Ｘ線照射部１６からのＸ線照射により被検体Ｐを透過したＸ線を検出して電気信号に変換し、変換した信号を増幅してデータ収集部１９に出力する。
【００１８】
データ収集部１９は、アナログ／デジタル変換回路（ＡＤＣ）等を備え、Ｘ線検出部１８からのアナログ信号をデジタル信号に変換する。そして、回転フレーム２１の所定の回転角度毎にそのデジタル信号を収集して１ビューの投影データを生成する。
【００１９】
データ伝送部２０は、例えば光を利用して送受信するための送信部及び受信部を備えている。そして、送信部が回転部１３に設けられ、データ収集部１９からの投影データを固定部１４に設けた受信部に伝送する。
【００２０】
固定部１４は、回転部１３の回転フレーム２１を回転する回転機構制御部２２及びデータ伝送部２０の受信部を備えている。そして、回転機構制御部２２は、回転フレーム２１を回転する回転機構及びこの回転機構を制御する制御回路を備えている。また、データ伝送部２０の受信部は、送信部からの投影データを画像処理部３０に出力する。
【００２１】
画像処理部３０は、架台部１１における回転部１３のデータ伝送部２０から出力された投影データを保存する記憶部３１と、記憶部３１に保存された複数ビューの投影データを再構成して画像データを生成する再構成部３２と、再構成部３２で生成された画像データを表示する表示部３３とを備えている。
【００２２】
寝台部４０は、架台部１１近傍に設置され、被検体Ｐが載置される天板４１及びこの天板４１を上下方向及び長手方向に移動可能に支持する寝台４２により構成される。そして、天板４１は、被検体Ｐが載置される板状の長方形を成す天板本体４３、及びこの天板本体４３上に載置された被検体Ｐの一部を保持する補助具４４により構成される。
【００２３】
また、寝台４２は、被検体Ｐを架台部１１の開口部１２内へ送り込むために天板４１を長手方向に移動する長手移動機構、及び被検体Ｐを乗降させるために天板４１を上下方向に移動する上下移動機構を有する。そして、被検体Ｐの頭部側から開口部１２内へ送り込んで撮影を行うために、頭部を一端部側に向け、足部を他端部側に向けて臥位の姿勢で被検体Ｐが載置された天板４１を、開口部１２内へ移動する。また、被検体Ｐの足部側から開口部１２内へ送り込んで撮影を行うために、足部を一端部側に向け、頭部を他端部側に向けて臥位の姿勢で被検体Ｐが載置された天板４１を、開口部１２内へ移動する。
【００２４】
操作部５０は、キーボード、トラックボール、ジョイスティック、マウスなどの入力デバイスや表示パネル、更には各種スイッチなどを備えたインターラクティブなインターフェースであり、寝台部４０の天板４１を移動する操作等、被検体ＰのＣＴ撮影に関る様々な入力操作を行う。
【００２５】
システム制御部５１は、ＣＰＵと記憶回路を備え、操作部５０からの入力操作により供給される入力情報を一旦記憶した後、これらの入力情報に基づいて、撮影部１０の架台部１１における回転部１３の回転フレーム２１の回転、投影データの生成、画像データの生成、及び表示や、寝台部４０における天板４１の移動に関する制御などシステム全体の制御を行う。
【００２６】
次に、図１乃至図４を参照して、寝台部４０における天板４１の構成の詳細を説明する。図２は、天板４１における天板本体４３の構成の詳細を示す図である。図３は、天板４１における補助具４４の構成の詳細を示す図である。図４は、天板本体４３上に設けられた補助具４４を示す図である。
【００２７】
図２において、天板４１は、ＣＴ撮影の開始前には、撮影部１０における架台部１１近傍の被検体Ｐの乗降が容易な乗降高さをホームポジションとして停止している。そして、ＣＴ撮影のときに、上方向へ移動した後、長手方向の一端部側から架台部１１の開口部１２内へ移動される。
【００２８】
天板本体４３は、高強度及び高Ｘ線透過性を有する例えばカーボンコンポジット材から成る。そして、長手方向においては、被検体Ｐの全身撮影を行うために架台部１１の方向へ最大長延ばした位置で他端部を寝台４２により支持可能な長さに形成されている。また、被検体Ｐの荷重の大半を支える長手方向の一端部以外の部分においては、上下方向における厚さが被検体Ｐの荷重により生じる撓みを抑えると共に、被検体Ｐ以外の不要なＸ線透過量の損失を抑える厚さに形成されている。
【００２９】
更に、被検体Ｐの荷重の一部を支える長手方向の一端部上には、補助具４４が設けられる。このため、一端部の上下方向における厚さが、一端部及び一端部上に設けられた補助具４４に対して一端部以外の部分と同じ程度に被検体Ｐ以外の不要なＸ線透過量の損失を抑える厚さに形成されている。即ち、一端部における厚さは、一端部以外の部分よりも補助具４４で吸収されるＸ線吸収量の分だけ薄く形成されている。また、図３に示すように、一端部の被検体Ｐが載置される載置面に、補助具４４に係合する複数の溝４３１，４３２が設けられている。
【００３０】
図３は、補助具４４の構成の詳細を示した図である。この補助具４４は、高Ｘ線透過性を有する例えばカーボンコンポジット材から成るヘッドレスト４５及びアームレスト４６等により構成され、天板本体４３の被検体Ｐが載置される載置面に対して進退方向である例えば上下方向への移動により、天板本体４３の一端部上に夫々単独に着脱可能に設けられる。
【００３１】
ヘッドレスト４５は、被検体Ｐの後頭部の形状に適合する曲面を成す上面４５１と、配置される天板本体４３の上面形状に適合する面を成す底面４５２と、この底面４５２に設けられた天板本体４３上におけるヘッドレスト４５の位置を固定するための溝４３１に係合する図示しない突起とにより構成される。
【００３２】
そして、ヘッドレスト４５は、被検体Ｐの頭部のＣＴ撮影を行う場合、天板本体４３の幅方向における中央近傍に設けられ、天板本体４３上に臥位の姿勢で載置された被検体Ｐの頭部を保持することにより、ＣＴ撮影中における被検体Ｐの体動を防ぐ。
【００３３】
アームレスト４６は、被検体Ｐの２つの腕部形状に適合する傾斜した曲面を成す２箇所の上面４６１と、配置される天板本体４３の上面形状に適合する面を成す底面４６２と、この底面４６２に設けられた天板本体４３上におけるアームレスト４６の位置を固定するための溝４３２に係合する図示しない突起とにより構成される。
【００３４】
そして、アームレスト４６は、被検体Ｐの肺や腹部等の胴部のＣＴ撮影を行う場合、図４に示すように、天板本体４３上に設けられたヘッドレスト４５の両側に亘って近接する位置に設けられ、天板本体４３上に臥位の姿勢で載置された被検体Ｐの頭部近傍で腕部を保持することにより、被検体Ｐの腕が胴部のＣＴ撮影の妨げとなるのを防ぐ。また、被検体Ｐ頭部のＣＴ撮影を行う場合、天板本体４３上に設けられていると、被検体Ｐの頭部のＣＴ撮影の妨げとなるために、天板本体４３上から取り外される。
【００３５】
このように、天板本体４３の一端部で上下方向へ移動することにより、天板本体４３上に設けられたヘッドレスト４５が障害となることなく、アームレスト４６を単独で容易に着脱することができる。
【００３６】
なお、天板本体４３上に着脱可能にフットマットを設けることができる。このフットマットは、被検体Ｐの足部形状に適合する曲面を成す上面と、配置される天板本体４３の上面形状に適合する面を成す底面と、この底面に設けられる天板本体４３上におけるフットマットの位置を固定するための溝４３２に係合する突起とにより構成される。そして、被検体Ｐの足部側から架台部１１の開口部１２内へ送り込んでＦＦ撮影を行う場合に取り付けられ、天板本体４３上に臥位の姿勢で載置された被検体Ｐの足部を保持する。
【００３７】
このように、厚さが薄く形成された天板本体４３の一端部に補助具４４を設けることにより、ＣＴ撮影が行われたときの補助具４４によるＸ線透過量の損失を抑えることができる。また、補助具４４を上下方向に移動して着脱することにより、架台部１１が障害となることなく、天板４１の高さに関係なく着脱することができる。
【００３８】
なお、天板本体４３の溝４３１，４３２がＣＴ撮影の妨げとなりアーチファクトの原因になる恐れが考えられる場合には、上記溝４３１，４３２並びにこの溝に係合するアームレスト４４及びヘッドレスト４５の突起構成に代えて次のように構成してもよい。つまり、被検体Ｐの画像データ領域外となる例えば天板本体４３の長手方向における一端部側縁端面の上下方向に切欠きを設けると共に、上下方向への移動により着脱可能となる天板本体４３の切欠きに嵌合する突起をアームレスト４６の底面４６２に設ける。また、ヘッドレスト４５を三方から包囲するアームレスト４６側面における中央部分の上下方向に切欠きを設けると共に、上下方向への移動により着脱可能となるアームレスト４６の切欠きに嵌合する突起をヘッドレスト４５に設ける構成とする。
【００３９】
以下、図１乃至図６を参照して、天板４１を用いたＣＴ撮影作業を説明する。図５は、天板４１を用いたＣＴ撮影作業の手順を示すフローチャートである。図６は、天板本体４３上に臥位の姿勢で載置された被検体Ｐの頭部がヘッドレスト４５で保持されると共に腕部がアームレスト４６で保持された状態を示す図である。
【００４０】
図５において、ＣＴ撮影の終了後、寝台部４０の天板４１はホームポジションに停止し、天板本体４３一端部上には例えばフットマットが設けられている。
【００４１】
被検体Ｐの例えば頭部、肺、及び腹部のＣＴ撮影を行うために、Ｘ線ＣＴ装置１００の操作者は、先ず天板本体４３上のフットマットを上方向に移動して、天板本体４３から取り外す（ステップＳ１）。
【００４２】
このように、天板４１がホームポジションに停止している場合、フットマットを上方向へ移動することにより、天板４１の高さに関係なく取り外すことができる。これにより、天板４１を上下方向に移動させる操作等の補助具４４の着脱に関る手間や作業時間を低減することができる。
【００４３】
次いで、ヘッドレスト４５を天板本体４３の一端部上方から下方向に移動してヘッドレスト４５の突起を溝４３１に係合させることにより、ヘッドレスト４５を天板本体４３上に取り付ける（ステップＳ２）。
【００４４】
このように、天板４１がホームポジションに停止している場合、ヘッドレスト４５を天板本体４３の一端部上方から下方向に移動することにより、天板４１の高さに関係なく取り付けることができる。これにより、天板４１を上下に移動させる操作等の補助具４４の着脱に関る手間や作業時間を低減することができる。
【００４５】
更に、アームレスト４６を天板本体４３の一端部上方から下方向に移動してアームレスト４６の突起を溝４３２に係合させることにより、アームレスト４６を天板本体４３に取り付ける（ステップＳ３）。
【００４６】
このように、天板４１がホームポジションに停止している場合、アームレスト４６を天板本体４３の一端部上方から下方向に移動することにより、天板４１の高さに関係なく且つヘッドレスト４５が障害となることなく取り付けることができる。これにより、天板４１を上下方向に移動させる操作等の補助具４４の着脱に関る手間や作業時間を低減することができる。
【００４７】
そして、被検体Ｐを天板４１上に乗せた後、被検体Ｐの肺及び腹部のＣＴ撮影を行うために、操作部５０から操作して、図６に示すように、天板本体４３上に臥位の姿勢で載置された被検体Ｐの頭部がヘッドレスト４５で保持されると共に腕部がアームレスト４６で保持された状態で、開口部１２内へ天板４１を移動させる（ステップＳ４）。
【００４８】
被検体Ｐの肺及び腹部のＣＴ撮影終了後、操作部５０から操作して、長手方向の架台部１１から離間した位置まで天板４１を移動させる（ステップＳ５）。
【００４９】
天板４１が移動した後、ヘッドレスト４５に頭部が保持された被検体Ｐの両腕を両脇に付けさせる。次いで、被検体Ｐの頭部のＣＴ撮影の妨げとなるのを防ぐために、アームレスト４６を上方向に移動して天板本体４３から取り外す（ステップＳ６）。
【００５０】
このように、被検体Ｐの頭部がヘッドレスト４５により保持された状態で、アームレスト４６を上方向に移動することにより、天板本体４３から取り外すことができる。これにより、天板本体４３上で被検体Ｐの上半身を起こすことなく、アームレスト４６の取り外しを行うことができるので、被検体Ｐへの負担を軽減することができる。また、造影剤を使用した撮影の場合、撮影時間が制限される操作者への負担を軽減することができる。
【００５１】
なお、頭部のＣＴ撮影を行った後に、肺及び腹部の撮影を行うように実施してもよい。この場合、最初にヘッドレスト４５を天板本体４３に取り付けて被検体Ｐの頭部撮影を行った後、被検体Ｐの頭部がヘッドレスト４５により保持された状態で、天板本体４３の一端部上方からアームレスト４６を下方向に移動して、天板本体４３に取り付ける。これにより、天板本体４３上で被検体Ｐの上半身を起こすことなく、アームレスト４６の取り付けを行うことができるので、被検体Ｐへの負担を軽減することができる。
【００５２】
アームレスト４６を取り外した後、被検体Ｐの頭部のＣＴ撮影を行うために、操作部５０から操作して、開口部１２内へ天板４１を移動させる（ステップＳ７）。
【００５３】
このＣＴ撮影では、架台部１１におけるＸ線照射部１６は被検体ＰにＸ線を照射する。Ｘ線検出部１８は、被検体Ｐの頭部、ヘッドレスト４５、及び天板本体４３の一端部を透過したＸ線を検出する。データ収集部１９は、Ｘ線検出部１８の検出信号から投影データを生成する。画像処理部３０は、データ収集部１９で生成された複数の投影データから画像データを生成して表示する。
【００５４】
このように、天板本体４３の厚さを薄くした一端部上に補助具４４を設けることにより、一端部及び補助具４４によるＸ線透過量の損失を一端部以外の部分と略同じ程度に抑えることができる。
【００５５】
被検体Ｐの頭部のＣＴ撮影終了後、操作部５０からの操作により、ホームポジションへ天板４１を移動させる（ステップＳ８）。
【００５６】
以上述べた本発明の実施例によれば、被検体Ｐが載置される天板本体４３の一端部における厚さを一端部以外の部分の厚さよりも薄く形成し、薄く形成された一端部上に補助具４４を設けることにより、一端部及び補助具４４によるＸ線透過量の損失を一端部以外の部分と略同じ程度に抑えることができる。
【００５７】
また、補助具４４を上下方向への移動により着脱可能に天板本体４３の一端部上に設けることにより、天板４１の高さに関係なく補助具４４を着脱することができる。これにより、補助具４４の着脱に関る手間や作業時間を低減することができる。
【００５８】
更に、天板本体４３上に臥位の姿勢で載置された被検体Ｐの頭部がヘッドレスト４５により保持された状態で上下方向に移動することにより、アームレスト４６を着脱することができる。これにより、被検体Ｐへの負担を軽減することができる。
【符号の説明】
【００５９】
Ｐ  被検体
１１  架台部
１２  開口部
１５  カバー
４０  寝台部
４１  天板
４２  寝台
４３  天板本体
４４  補助具
【図１】
2011160833.tif 000003
【図２】
2011160833.tif 000004
【図３】
2011160833.tif 000005
【図４】
2011160833.tif 000006
【図５】
2011160833.tif 000007
【図６】
2011160833.tif 000008